(57)【要約】【課題】  別途に用意した新鮮な空気を室内に供給可能な空気調和システムを提供すること。【解決手段】  本発明は、室外機５０、天井内に配設される室内機１０、および、室内機１０に接続されて、別途に貯蔵された新鮮な空気を室内機で供給する手段を具備する空気調和システムを提供する。また、本発明は、室外機５０、室内機１０、空気供給ダクト２０及び排気ダクト３０、および、空気供給ダクト２０に接続されて、別に貯蔵された新鮮な空気を室内機で供給する手段を具備する空気調和システムを提供する。室内機１０は送風装置、室内熱交換機１００、および、室外空気と室内空気の流動経路を案内する案内ダクト３００を具備しており、室外空気と室内空気を相互に間接的に熱交換する前熱交換機６が案内ダクト３００を包囲するように配設されている。【選択図】      図８
2004361072.tif 000002
【特許請求の範囲】
【請求項１】
圧縮機および室外熱交換機を含む室外機と、
内部に室内に連通する空間を持つ室内熱交換機、前記空間に配置されて空気を吸いこんだ後、前記室内熱交換機を経由させて室内に吐出する送風装置を具備し天井内に配置される室内機と、
前記室内機に接続されて、別に貯蔵された新鮮な空気を制御部の制御によって前記送風装置の吸入側に供給する手段を具備する空気調和システム。
【請求項２】
前記室内機は、
室内空気と前記手段とにより供給される新鮮な空気を前記送風装置に案内し、前記室内熱交換機を経由した空気を室内に案内するように、前記室内熱交換機の下側に配設される案内ダクトを更に具備する請求項１に記載の空気調和システム。
【請求項３】
前記手段は、
ノズル、および、前記ノズルの開閉を制御する制御部を含み、その内部に新鮮な空気を圧縮して貯蔵するタンクと、
一端が前記ノズルに接続されて、他端が前記室内機に接続されるホースを具備する請求項１に記載の空気調和システム。
【請求項４】
前記タンクは内部に新鮮な空気を再充填することができ、前記ノズルは前記ホースに着脱できることを特徴とする請求項３に記載の空気調和システム。
【請求項５】
前記新鮮な空気は、山岳地帯で採取された空気である請求項１に記載の空気調和システム。
【請求項６】
前記新鮮な空気は、ほこりが除去された空気である請求項１に記載の空気調和システム。
【請求項７】
前記新鮮な空気は、高い酸素含有量を持つ空気である請求項１に記載の空気調和システム。
【請求項８】
前記新鮮な空気は、テルペン(terpene)が添加された空気である請求項１に記載の空気調和システム。
【請求項９】
前記新鮮な空気は、フィトンチッド(phytoncide)が添加された請求項１に記載の空気調和システム。
【請求項１０】
前記新鮮な空気は、前記手段内に圧縮された状態で貯蔵される請求項１に記載の空気調和システム。
【請求項１１】
圧縮機および室外熱交換機を具備する室外機と、
内部に室内に連通する空間を持つ室内熱交換機、前記空間に配置されて空気を吸いこんだ後に前記室内熱交換機を経由させて吐出する送風装置、および、室外空気を前記送風装置を経て室内に案内して室内空気を前記室外に案内するように前記室内熱交換機の下側に配設される案内ダクトを具備して天井内に配置される室内機と、
前記案内ダクトに連通するように配設されて、室外空気を室内に、室内空気を室外にそれぞれ案内する空気供給ダクト及び排気ダクトと、
前記空気供給ダクトに接続されて、別に貯蔵された新鮮な空気を制御部の制御によって前記送風装置の吸入側に供給する手段を具備する空気調和システム。
【請求項１２】
前記室内機は、
前記案内ダクトを包囲するように配設されて、前記空気供給ダクト、排気ダクトおよび前記案内ダクトがそれぞれ接続されて、その内部を経由する室外空気と室内空気を相互に間接的に熱交換させる前熱交換機(pre-heat exchanger)を更に具備する請求項１１に記載の空気調和システム。
【請求項１３】
前記案内ダクトは、
前記室外熱交換機の下側に配置されて前記前熱交換機を経由した室外空気を内部を通じて前記送風装置に案内する第１ダクトと、
前記第１ダクト下側に配置されて前記室内空気を内部を通じて前記前熱交換機に案内する第２ダクトを具備する請求項１２に記載の空気調和システム。
【請求項１４】
前記案内ダクトは、
前記空間と室内を連通するように中央に上下方向に形成された第１ホールと、
前記室内熱交換機を経由した空気が通過して室内に流入するように前記第１ホール周辺に上下方向に提供される少なくとも一つ以上の第２ホールを持つ請求項１３に記載の空気調和システム。
【請求項１５】
前記第１ダクトは、
前記前熱交換機に連通するように一側面に提供される少なくとも一つ以上の
第１インレットと、
前記第１ホールに連通するように内周面に形成される少なくとも一つ以上の第１アウトレットを具備する請求項１４に記載の空気調和システム。
【請求項１６】
前記第２ダクトは、
前記第１ホールに連通するように内周面に提供される少なくとも一つ以上の第２インレットと、
前記前熱交換機に連通するように一側面に提供される少なくとも一つ以上の第２アウトレットを具備する請求項１４に記載の空気調和システム。
【請求項１７】
前記前熱交換機は、
前記案内ダクトの第１インレットに連通するように提供される第３アウトレット、および、前記案内ダクトの第２アウトレットに連通するように提供される第４インレットを具備する内部が空洞のケースと、
前記ケース内に提供されて、前記第１インレットと第３アウトレットを経由する室外空気と前記第２アウトレットと前記第４インレットを経由する室内空気を相互に間接的に熱交換させる手段を具備する請求項１２に記載の空気調和システム。
【請求項１８】
前記熱交換手段は、
室外空気が流動する第１流路と室内空気が流動する第２流路が層別に形成されるように所定距離離隔した状態で配置される複数のプレートと、
前記室外空気及び室内空気の流動方向とそれぞれ一直線に前記各層別に前記プレートの間に提供されて、横断面が連続した複数のフォールドからなる複数の流動ガイドを具備する請求項１７に記載の空気調和システム。
【請求項１９】
前記空気供給ダクト内に配設されて室外空気を室内に送風する給気ファンと、
前記空気排気ダクト内に配設されて室内空気を室外に送風する排気ファンを更に具備する請求項１１に記載の空気調和システム。
【請求項２０】
前記空気供給ダクトは、室外と連通した一端部と前記手段が接続される位置との間に配設されて室外空気の流動流路を開閉するバルブを更に具備する請求項１１に記載の空気調和システム。
【請求項２１】
前記手段は、
前記空気供給ダクトに連通するノズル、および、前記ノズルの開閉を制御する制御部を含み、その内部に新鮮な空気を圧縮して貯蔵するタンクを具備する請求項１１に記載の空気調和機。
【請求項２２】
前記タンクは、内部に新鮮な空気を再充填することができ、前記ノズルは前記ホースに着脱できることを特徴とする請求項２１に記載の空気調和システム。
【請求項２３】
前記新鮮な空気は、山岳地帯で採取される空気である請求項１１に記載の空気調和システム。
【請求項２４】
前記新鮮な空気は、ほこりが除去された空気である請求項１１に記載の空気調和システム。
【請求項２５】
前記新鮮な空気は、高い酸素含有量を持つ空気である請求項１１に記載の空気調和システム。
【請求項２６】
前記新鮮な空気は、テルペン(terpene)が添加された空気である請求項１１に記載の空気調和システム。
【請求項２７】
前記新鮮な空気は、フィトンチッド(phytoncide)が添加された空気である請求項１１に記載の空気調和システム。
【請求項２８】
前記新鮮な空気は、前記手段内に圧縮された状態に貯蔵される請求項１に記載の空気調和システム。
【発明の詳細な説明】
【技術分野】
【０００１】
本発明は空気調和システムに関するもので、更に詳くは別途に用意した新鮮な空気を室内に供給することができる改善された構造の空気調和システムに関するものである。
【背景技術】
【０００２】
空気調和機とは、冷媒が相変化する時、周囲に熱を発散したり周囲の熱を吸収する性質を利用して室内空間を冷房または暖房する機器である。
このような空気調和機は一般的に室内機と室外機を具備しており、前記室内機と室外機が一つの胴体で製作されたものを一体型エアコンと呼び、それぞれ別途の胴体で製作されたものを分離型エアコンと呼ぶ。
【０００３】
前記一体型エアコンの代表的な例としては、窓型エアコンがあり、前記分離型エアコンの種類としては天井型、壁掛け型、そしてパッケージ型エアコンがある。ここで前記天井型エアコンの場合、室内機が天井内に配設され、前記壁掛け型エアコンの場合、前記室内機が壁に付着され、前記パッケージ型エアコンの場、前記室内機が室内の底面に据えられる。
【０００４】
このようなエアコンは一般的に圧縮機、コンデンサー、膨脹装置、そして蒸発器を具備している。ここで前記圧縮機は低温/低圧のガス冷媒を高温/高圧のガス冷媒に圧縮し、冷媒が前記各構成要素を経由できるように移送する。そして前記コンデンサーは、前記圧縮機から流入した冷媒を凝縮して液化する。この時、前記冷媒が凝縮されながら発熱するので、前記コンデンサーは周囲に熱を放散する。このようにコンデンサーからの熱を室内空間に放出すれば室内空間を暖房可能となる。
【０００５】
そして前記膨脹装置は凝縮された冷媒を減圧、膨脹させるが、このような膨脹装置には一般的に毛細管(capillary tubes)が使われる。最後に前記蒸発器は膨脹した冷媒を気化させ、前記冷媒が気化しながら吸熱するので前記蒸発器周辺空気は冷たくなる。このように冷たくなった空気を室内空間に吐出すれば室内空間を冷房可能となる。
【０００６】
一方、前記空気調和機の使用中に熱損失を減らすために室内空間を密閉する。このように密閉された空間の空気は経時的に徐々に汚染される。例えば、室内で生活する人々の呼吸によって室内空気中の二酸化炭素の含有量が高くなり、乾燥した室内空間内では多くのほこりが循環するようになる。そうなれば、空気調和機を一定時間以上使った後には新鮮な室外空気を室内に供給しなければならない。このために使われるものが換気装置である。
【０００７】
前記のように室内を換気する方法としては二つに大別される。
その一つは、換気装置を用いて内部空気を強制に排出する方法であり、もう一つは扉や窓を開けて自然換気する方法である。ところが、公害や黄砂現象などにより室外空気の汚染度が大きい場合、室外空気を供給して室内を換気することが更に室内空気を汚染するおそれがあるという短所がある。
【０００８】
また、換気の時には室内の冷気または熱が直ちに外部に排出される。そして開かれた扉や窓などを通じて室外の空気がすぐ室内に流入する。このようにして換気を行う時、非常に大きい熱損失が生じ、換気後に室内空間を再び冷房または暖房するためには多くのエネルギーを消耗するだけではなく多くの時間が必要となる。
【０００９】
一方、空気調和システムに換気装置が提供される場合、前記空気調和システムには多数の換気ダクトが要求される。このため配設が複雑、かつ容易ではないという問題がある。
【発明の開示】
【発明が解決しようとする課題】
【００１０】
本発明は前記問題を解決するために案出されたもので、その目的は別途に用意した新鮮な空気を室内に供給することができる改善された構造の空気調和システムを提供するものである。
【００１１】
本発明の他の目的は、換気によって発生するエネルギーの無駄使いを低減可能な改善された構造の空気調和システムを提供するものである。
本発明のまた他の目的は、室内機がコンパクトで配設し易い改善された構造の空気調和システムを提供するものである。
【課題を解決するための手段】
【００１２】
前記目的を達成するための本発明の第１実施例は、圧縮機と室外熱交換機を具備する室外機と、内部に室内に連通する空間を持つ室内熱交換機と、前記空間に配置されて空気を吸いこんだ後、前記室内熱交換機を経て室内に吐出する送風装置を具備しており、天井内に配置される室内機および前記室内機に接続されて、別途に貯蔵された新鮮な空気を制御部の制御によって前記送風装置の吸入側に供給する手段を更に具備する空気調和システムを提供する。
【００１３】
第１実施例による空気調和システムにおいて前記室内機は、室内空気と前記手段から供給される新鮮な空気を前記送風装置に案内し、前記室内熱交換機を経て空気を室内に案内するように前記室内熱交換機の下側に提供される案内ダクトを更に具備することができる。
【００１４】
また、前記手段は、ノズル、および、前記ノズルの開閉を制御する制御部を含めており、その内部に新鮮な空気を圧縮して貯蔵するタンクと、一端が前記ノズルに連結され、他端が前記室内機に接続されるホースとを設けることができる。
【００１５】
一方、前記目的を達成するための本発明の第２実施例は、圧縮機と室外熱交換機を具備する室外機、および、内部に室内に連通される空間とを持つ室内熱交換機、前記空間に配置されて空気を吸いこんだ後、前記室内熱交換機を経て吐出する送風装置、室外空気を前記送風装置を経て室内に案内して室内空気を前記室外に案内するように前記室内熱交換機の下側に提供される案内ダクトを具備しており、天井内に配置される室内機と、前記案内ダクトに連通されるように配設され、室外空気を室内に、室内空気を室外にそれぞれ案内する空気供給ダクト及び排気ダクトと、前記空気供給ダクトに接続され、別に貯蔵された新鮮な空気を制御部の制御によって前記送風装置の吸入側に供給する手段を更に具備する空気調和システムを提供する。
【００１６】
第２実施例による空気調和システムでは、前記室内機は、前記案内ダクトを包囲するように配設され、前記空気供給ダクト、排気ダクト、および、前記案内ダクトがそれぞれ接続され、その内部を経由する室外空気と室内空気を相互に間接的に熱交換させる前熱交換機(pre-heat exchanger)を更に具備することができる。
【００１７】
また前記案内ダクトは、前記室外熱交換機の下側に配置されて前記前熱交換機を経由した室外空気を内部を通じて前記送風装置に案内する第１ダクトと、前記第１ダクト下側に配置されて前記室内空気を内部を通じて前記前熱交換機に案内する第２ダクトを具備することができる。
【００１８】
一方、前記案内ダクトは、前記空間と室内を連通するように中央に上下方向に提供される第１ホール、また前記室内熱交換機を経由した空気が通過して室内に流入するように前記第１ホールの周辺に上下方向に提供する少なくとも一つ以上の第２ホールを持つように構成できる。
【００１９】
この時、前記第１ダクトは、前記前熱交換機に連通するように一側面に提供される少なくとも一つ以上の第１インレットと、前記第１ホールに連通するように内周面に形成される少なくとも一つ以上の第１アウトレットを具備することができる。そして前記第２ダクトは、前記第１ホールに連通するように内周面に提供される少なくとも一つ以上の第２インレットと、前記前熱交換機に連通するように一側面に提供される少なくとも一つ以上の第２アウトレットを具備することができる。
【００２０】
一方、第２実施例による空気調和システムにおいて前記前熱交換機は、前記案内ダクトの第１インレットに連通するように提供される第３アウトレットと、前記案内ダクトの第２アウトレットに連通するように提供される第４インレットを具備する内部が空洞のケースと、前記ケース内に提供され、前記第１インレットと第３アウトレットを経由する室外空気と前記第２アウトレットと前記第４インレットを経由する室内空気を相互に間接的に熱交換させる手段を具備している。
【００２１】
ここで、前記熱交換手段は、室外空気が流動する第１流路と室内空気が流動する第２流路が層別に形成されるように所定距離離隔した状態で配置される複数のプレートと、前記室外空気及び室内空気の流動方向とそれぞれ一直線に前記各層別に前記プレートの間に提供され、横断面(a cross section)が連続した複数のフォールド（屈曲部）を有した曲げ板により形成される複数の流動ガイドを具備している。
【００２２】
第２実施例による空気調和システムは前記空気供給ダクト内に配設されて室外空気を室内に送風する給気ファンと、前記空気排気ダクト内に配設されて室内空気を室外に送風する排気ファンを更に具備する。そして前記空気供給ダクトは、室外に連通した一端部と前記手段が接続される位置との間に配設されて室外空気の流動流路を開閉するバルブを更に具備する。
【００２３】
第２実施例による空気調和システムにおいて、前記手段は、前記空気供給ダクトに連通するノズルと、前記ノズルの開閉を制御する制御部を具備しており、その内部に新鮮な空気を圧縮して貯蔵するタンクを具備することができる。
【００２４】
一方、本発明の第１及び第２実施例において、前記タンクは内部に新鮮な空気を再び充電することができ、前記ノズルは前記ホースに着脱可能な構造であることが望ましい。そして、前記新鮮な空気では山岳地帯から採取した空気、ほこりが除去された空気、高い酸素含有量を持った空気、テルペン(terpene)が添加された空気と、フィトンチッド(phytoncide)が添加された空気の何れか一方の特徴、または、これらの二つ以上の特徴を持った空気からなる。一方、前記新鮮な空気は前記手段内に圧縮された状態に貯蔵されることが望ましい。
【発明を実施するための最良の形態】
【００２５】
以下前記目的を具体的に実現することができる本発明の実施例が添付された図面を参照して説明する。
本実施例を説明するにあたって、同一構成については同一名称及び符号が使われて、これによる付加的な説明は下記で省略される。
【００２６】
本発明による空気調和システムは、室内機が天井内に配設される天井型エアコンを提供する。本発明による空気調和システムは室内及び室外空気を換気させることができるように構成されて、換気時に室外に排出される空気が持った熱エネルギーを室内に供給される空気で回収することができる構造を持つ。以下では本発明による空気調和システムの構造を図面を参照して更に詳しく説明する。
【００２７】
図１は本発明による空気調和システムを概略的に示した図で、図２は、図１の空気調和システムが配設された天井を下から眺めた様子を示した図であり、図３は、図１の空気調和システムで室外空気と室内空気とが互いに熱交換する様子を概略的に示した図である。
【００２８】
図１を参照すると、室内天井の所定位置に室内機５が室内に連通するように配設される。前記室内機５は室内熱交換機（図示せず）、室内膨脹装置（図示せず）、および、室内ファン（図示せず）を具備している。そして、室内天井において前記室内機５から所定距離を以て離間した離れた位置には、図２に示すように、複数の空気排気ポート２と空気供給ポート１が設けられる。前記空気排気ポート２には空気排気ダクト４が接続されて、前記空気供給ポート１には空気供給ダクト３が接続される。このような空気供給ダクト３と空気排気ダクト４はそれぞれ一端が外部に連通するように配設される。そして、前記空気供給ダクト３と空気排気ダクト４の中間支店にはこれらの内を流動する外部及び内部空気が相互交差しながら間接的に熱交換するように前熱交換機６が配設される。また、前記空気供給ダクト３と前記空気排気ダクト４には給気ファン３ａ(air supplying fan)と排気ファン４ａ(air discharging fan)がそれぞれ配設される。
【００２９】
一方、室外に提供される室外機７は室外熱交換機（図示せず）、圧縮機（図示せず）、室外ファン（図示せず）を具備するのに、これは通常の室外機と等しいのでこれに対するこれ以上の説明は省略する。前記室外機７は、図１に示すように、冷媒管８によって前記室内機５と接続される。
【００３０】
作動において、前記室外機７と室内機５が作動すると、図１に示すように、室内空気は前記室内機５に吸入されて前記室内熱交換機と熱交換した後に室内空間にまた吐出される。これによって室内空間が冷房または暖房される。室内空間を所定時間の間冷房または暖房した後には換気を行うことになる。以下に換気過程について説明する。
【００３１】
換気時には前記排気ファン４ａと給気ファン３ａが作動する。これによって室外空気は前記空気供給ダクト３と空気供給ポート１を通じて室内に流入して、室内空気は前記空気排気ダクト４と空気排気ポート２を通じて室外に排出される。この時、前記空気排気ダクト４と空気供給ダクト３を通じて流動する室内及び室外空気は前記前熱交換機６で互いに間接的に熱交換するようになる。
【００３２】
従って、室外空気は、室外に排出される室内空気が持った熱エネルギーの一部を伝達された後に室内に流入し、これによって換気時に発生する熱エネルギーの損失を減らすことができる。このような役目を遂行する前熱交換機６の構造及び作用について図３を参照して詳しく説明する。
【００３３】
図３を参照すると、前記前熱交換機６内には熱交換手段６ａが提供され、前記熱交換手段６ａは室外空気が室内に案内される多数の第１流路６ｂ、および、室内空気が室外に案内される多数の第２流路６ｃを具備している。ここで、前記第１流路６ｂと第２流路６ｃは多数のプレートにそれぞれ区画されて互いに連通しない。前記第１流路６ｂと第２流路６ｃは前記各プレートとの間に形成されるので、室外空気及び室内空気が前記第１流路６ｂ及び第２流路６ｃをそれぞれ通過する時、前記プレートを通じて熱伝達が行われる。これによって前記第１流路６ｂを通じて室内に流入する室外空気は第２流路６ｃを通じて室外に排出される室内空気から熱エネルギーを伝達されることになる。従って、本発明による空気調和システムは、換気時にエネルギー損失を減少させることができる。
一方、図３の未説明符号９はフィルターであって、これは室外に流出する空気を濾過する。
【００３４】
前記のような構成を持つ本発明による空気調和システムは、換気時に室外に排出される室内空気が持っている熱エネルギーを室内へ供給される空気に伝えることによって再回収することになる。これによって換気時に室内温度が急激に変化することを防止することができ、エネルギー節減效果を得ることができる。しかし前記長所にもかかわらず、前記図１ないし図３を参照して説明された本発明による空気調和システムは次のような問題点を持つ。
【００３５】
第一に、公害または黄砂などによって室外空気があまりにも汚れている場合、前記フィルター９の濾過性能が著しく低下して換気時に流入する流量が低下するという問題がある。
【００３６】
第二に、室内の天井内に配設される空気供給ダクト及び排気ダクトの長さが長くて非常に複雑に配置される。また、前熱交換機が前記空気供給ダクト及び排気ダクト中間に配設される。これによって室内機及び前熱交換機をコンパクト化しにくいし、配設が難しくて、資材費用及び配設費が多大となる問題がある。
【００３７】
第三、前記天井で前記前熱交換機までの空気供給ダクト及び排気ダクトの長さが長いため熱損失及び圧力損失が発生して換気時に前熱交換效率が低下する問題がある。
【００３８】
そうするので、本発明では前記問題を解決することができるより改善された構造を持つ空気調和システムを提供する。図５ないし図７には本発明の第１実施例による改善された構造を持つ空気調和システムの具体的な構造がよく図示されている。
【００３９】
以下、これら図面に基づき、本発明の第１実施例による改善された構造を持つ空気調和システムについて説明する。
図５は本発明の第１実施例による改善された構造を持つ空気調和システムを概略的に示した図であり、図６は、図５の空気調和システムの室内機の一実施例を示した図である。
【００４０】
図７は、図５の空気調和システムにおけるタンクの一実施例を示した図である。
図５を参照すると、室内機１０は、室内の天井の所定位置に室内空間に連通するように設けられる。前記室内機１０は、図５及び図６に示すように、室内熱交換機１００、送風装置２００、および、案内ダクト３００を具備している。前記室内熱交換機１００は室内機ケース１１内に配置されて、内部に室内に連通する空間を持つ形状からなる。このような前記室内熱交換機１００は、例えば、前記空間を包囲する形状とすることができる。この場合、前記空間は前記室内熱交換機１００の開放された下側を通じて前記室内に連通することができる。一方、図６に示すように、前記室内熱交換機１００の外周面と前記室内機ケース１１の内周面との間には、所定の距離が維持されることが望ましい。これは前記送風装置２００から吐出された後、室内熱交換機１００を経た空気が室内に移動するための吐出流路１５を確保するためである。
【００４１】
前記送風装置２００は、図５及び図６に示すように、前記室内熱交換機１００の内部に形成される空間に配置される。このような送風装置２００は空気を吸いこんだ後、前記室内熱交換機１００を経て室内に吐出するようになる。一方、本発明の第１実施例による空気調和システムに提供される前記送風装置２００は、一側面、例えば下側面を通じて空気を吸いこんだ後、半径方向に空気を吐出することができる遠心ファンを具備することが望ましい。この場合、前記遠心ファンは、図５及び図６に示すように、前記室内熱交換機１００の内部の空間に配置されて下側を通じて室内空気を吸いこんだ後、半径方向に吐出する。前記遠心ファンの半径方向に吐出される空気は、前記遠心ファンを包囲するように配設された室内熱交換機１００を通過した後、前記吐出流路１５と前記案内ダクト３００の案内に従って前記室内に移動するようになる。
【００４２】
前記案内ダクト３０は、図６に示すように、前記室内熱交換機１００の下側に設けられる。このような案内ダクト３００は、室内空気または後述する手段で供給される新鮮な空気を送風装置２００に案内し、前記送風装置２００と室内熱交換機１００を経た空気を室内に案内する。このために前記案内ダクト３００には室内と前記空間を連通させる第１ホール３０１、および、前記吐出流路１５と室内を連通させる第２ホール３０２を具備している。一方、送風装置２００の吸入側に新鮮な空気を供給するために前記案内ダクト３００に接続される前記手段のホース７０は、詳細には図示されていないが、前記第１ホール３０１に連通するように接続されている。
【００４３】
室外には室外機５０が配設され、これは圧縮機（図示せず）、室外膨脹装置（図示せず）、および、室外ファン（図示せず）を具備している。前記室外機５０は通常の室外機と概ね同一の構造を持つので、室外機５０の説明は省略する。図５に示すように、前記室外機５０と室内機１０は冷媒管５５によって接続される。
【００４４】
一方、別途に貯蔵された新鮮な空気を前記送風装置２００の吸入側に供給する手段は、図５に示すように、タンク６０とホース７０を具備している。ここで、前記タンク６０はその内部に新鮮な空気を圧縮して貯蔵し、これは、図７に示すように、ノズル６３と制御部６５を具備している。前記ノズル６３はタンク６０の内部に貯蔵された新鮮な空気を吐出する。前記制御部６５は前記ノズル６３の開閉を制御する。ここで、前記制御部６５は、例えば、ソレノイドバルブまたはモーターなどを具備するアクチュエータに信号を送って、制御部６５の信号を受けた前記アクチュエータがノズル６３を開閉する方法で前記ノズル６３の開閉を制御することができる。
【００４５】
このようなタンク６０は、図５に示すように、室外機５０側に脱着可能に配設される。しかし、前記タンク６０は必ず室外機５０に配設しなければならないものではなく、脱着が容易な他の場所に配設しても構わない。一方、前記タンク６０は新鮮な空気を圧縮して再充填することができる構造を持つことが望ましく、このような充電可能なタンクは通常的に使われているのでこれに対する説明は省略する。また、前記タンク６０を容易に再充填することができるように前記ホース７０と前記ノズル６３は脱着可能に結合されることが望ましい。
【００４６】
一方、前記ホース７０は、図５に示すように、一端が前記ノズル６３に接続され、他端が前記室内機１０、更に詳くは案内ダクト３００に接続される。前記ホース７０は配設が容易なように柔軟な材質から形成してもよい。このようなホース７０は前記制御部６５の制御によって前記ノズル６３が開放される時、圧縮された状態で貯蔵された新鮮な空気を前記案内ダクト３００の第１ホール３０１に案内する。前記第１ホール３０１は前記送風装置２００の吸入側に位置するので前記ホース７０を通じて案内ダクト３００に流入した新鮮な空気は、図６に示すように、前記送風装置２００と室内熱交換機１００を経由した後に室内に再び吐出される。
【００４７】
一方、前記タンク６０に貯蔵される新鮮な空気には清浄な山岳地帯で採取した空気が挙げられる。清浄な山岳地帯で採取した空気には抗菌物質であるフィトンチッド(phytoncide)とテルペン(terpene)が多量に含有されており、酸素含有量が非常に高い。ここで、前記フィトンチッドとは、木がバクテリアなどの細菌と虫から自分を保護するために発散する殺菌、殺虫力を持った芳香性化学物質のことを言い、その主な成分はテルペンである。このようなフィトンチッドは消毒の薬理作用と肌の老廃物の分泌促進及び心肺機能の強化效能があり、自律神経を刺激して心身を安定させる。すなわち、前記フィトンチッドとテルペンは森林浴の效果を発揮する主な成分である。
【００４８】
前記のように清浄な山岳地帯で採取した空気には前記フィトンチッドとテルペンが多量に含有されているので、前記タンク６０にこれを貯蔵した後、室内に供給すれば、室内で活動する人体はウッズベーシングをする效果を得ることができる。一方、前記タンク６０に貯蔵される新鮮な空気には清浄な山岳地帯で直接採取した空気が使われることができるが、別途に抽出するか人工的に製造したフィトンチッドまたはテルペンをほこりや異物が除去された清浄な空気に人工的に添加した空気を使うこともできる。
【００４９】
また、前記新鮮な空気では別途の濾過装置を利用してほこり及び異物をとり除いた空気だけが使われることもでき、酸素含有量が非常に高い空気が使われることもできる。そして陰イオンが含有された空気も使用可能である。
【００５０】
一方、前記新鮮な空気では前記特徴を持った空気の中から何れか一つの特徴だけを持つ空気、または二つ以上の特徴を持つ空気が使われることもできる。前記のような特徴を持つ新鮮な空気は前記タンク６０に高い圧力に貯蔵されることが望ましい。
【００５１】
以下、前記技術的特徴を持つ本発明の第１実施例による改善された構造を持つ空気調和システムの作用について説明する。
先ず、前記送風装置２００が作動すると、室内空気は前記案内ダクト３００の第１ホール３０１を通じて上側に移動した後、前記送風装置２００によって前記室内熱交換機１００側に吐出される。室内熱交換機１００と熱交換して冷却または加熱された空気は前記案内ダクト３００の第２ホール３０２を通じて再び室内空間に吐出されるので室内空間が冷房または暖房される。
【００５２】
一方、第１実施例で前記手段は新鮮な空気を室内に供給することになり、これについて簡単に説明する。先ず、使用者がリモコンなどを作動させて新鮮な空気を供給する機能を選択すれば、制御部６５は制御信号を例えば前記アクチュエータに送る。そうするとアクチュエータが作動してノズル６３の流路が開放されながら前記タンク６０内に高圧に圧縮された新鮮な空気がホース７０、案内ダクト３００の第１ホール３０１、送風装置２００、室内熱交換機１００、および、第２ホール３０２を順次に経て室内に供給される。
【００５３】
一方、前記タンク６０に圧縮された状態で貯蔵された新鮮な空気が使いきられた場合にはタンク６０を分離した後、充電された新しいタンクで入れ替れば良い。
前記のように室内に供給された新鮮な空気は、例えば山岳地帯で採取される空気の場合、抗菌及び殺菌作用を行い、人体には前記した森林浴效果を与えることになる。一方、前記のように別途に貯蔵された新鮮な空気を供給することで換気效果が切り替えられる。従って、公害、黄砂などで室外空気の汚染度の大きい場合、室外空気を流入させて換気しなくても快適な室内環境を維持することができる。そして、多量の室内空気が一斉に室外に排出されることがないから熱エネルギーの無駄使いが防止されてエネルギー效率が向上する。それだけでなく室内機が非常にコンパクトで、別途の空気供給ダクト及び排気ダクトを複雑に配設する必要がないから配設が非常に容易である。
【００５４】
本発明では前記構造の空気調和システムだけではなく、室外空気を室内に取り入れて室内空気を室外に排出することができ、別途に貯蔵された新鮮な空気をユーザーの選択にしたがって室内に供給できる、より改善された構造の空気調和システムも提供する。これは本発明の第２実施例によって実現され、以下では、図８ないし図１２を参照して本発明の第２実施例による空気調和システムについて説明する。
【００５５】
図８は本発明の第２実施例による改善された構造を持つ空気調和システムを概略的に示した図で、図９は、図８の空気調和システムの室内機の一実施例を示した図である。
【００５６】
また、図１０は、図８の空気調和システムに案内ダクトと前熱交換機の一実施例を示した斜視図で、図１１は、図１０の案内ダクトを示した斜視図であり、図１２は、図１０の前熱交換機を示した斜視図である。
【００５７】
以下、本実施例を説明が、第１実施例と等しい構成については等しい名称及び符号を付して、これに対する更なる説明は省略する。
図８を参照すると、第２実施例による空気調和システムは室内機１０、室外機５０、空気供給ダクト２０及び排気ダクト３０、および、新鮮な空気を供給する手段を具備している。前記室内機１０は室内熱交換機１００、送風装置２００、および、案内ダクト３００を具備しており、前記室内熱交換機１００と送風装置２００は前記第１実施例と概ね同一の構造を持つのでこれに対する説明は省略する。
【００５８】
一方、前記室内機１０には空気供給ダクト２０と空気排気ダクト３０がそれぞれ接続される。ここで、前記空気供給ダクト２０と空気排気ダクト３０の一端は、それぞれ室外に連通するように配設される。そして前記空気供給ダクト２０と空気排気ダクト３０には空気供給及び排出能力を向上するために給気ファン２５と排気ファン３５がそれぞれ配設される。
【００５９】
前記案内ダクト３００は、前記室内熱交換機１００の下側に配設され、前記送風装置２００を経て室内に案内し、室内空気を前記空気排気ダクト３０を経て室外に案内する。そして前記案内ダクト３００の外周面には前熱交換機４００が更に提供されることができる。前記前熱交換機４００には前記案内ダクト３００、空気供給ダクト２０及び排気ダクト３０がそれぞれ接続されて、室外空気と室内空気は前記前熱交換機４００内で間接的に熱交換する。しかし、前記前熱交換機４００が配設されていない場合には、前記空気供給ダクト２０及び排気ダクト３０は前記案内ダクト３００に直接接続される。以下では、第２実施例による空気調和システムに前熱交換機４００が配設されている場合を例として、前記案内ダクト３００と前熱交換機４００との構造について更に詳しく説明する。
【００６０】
図９ないし図１１を参照すると、前記案内ダクト３００は第１ダクト３１０と第２ダクト３２０を具備している。前記第１ダクト３１０は、図９に示すように、前記室内熱交換機１００下側に配置されて、前記第２ダクト３２０は前記第１ダクト３１０下側に配置される。ここで、前記第１ダクト３１０は、前記空気供給ダクト２０と前記前熱交換機４００を経由した室外空気を内部を通じて前記送風装置２００に案内する。そして前記第２ダクト３２０は、室内空気を内部を通じて前記前熱交換機４００と前記空気排気ダクト３０を経由させて室外に案内する。このような案内ダクト３００は、前記第１ダクト３１０と第２ダクト３２０が堅固に付着した一つの胴体から成り立つことができる。
【００６１】
一方、前記案内ダクト３００には、図１０及び図１１に示すように、上下方向に複数のホールが設けられる。その中で第１ホール３０１は、図９ないし図１１に示すように、前記室内熱交換機１００の内部にある空間と室内を連通させることができるように前記案内ダクト３００すなわち、第１ダクト３１０と第２ダクト３２０の中央を上下方向に貫くように設けられる。そして第２ホール３０２は前記室内熱交換機１００を経由した空気が通過して室内に流入することができるように前記第１ホール３０１周辺に配置されて前記案内ダクト３００、すなわち第１ダクト３１０と第２ダクト３２０を上下方向に貫くように設けられる。このような第２ホール３０２は少なくとも一つ以上が提供され、多数個が提供される場合、前記第１ホール３０１周辺に等間隔に配置されることが望ましい。
【００６２】
前記第１ホール３０１と第２ホール３０２が前記のように案内ダクト３００に設けられる場合、前記送風装置２００は前記第１ホール３０１のすぐ上側に配置されて、前記室内熱交換機１００は、前記第１ホール３０１と第２ホール３０２との間において、第１ダクト３１０の上面に配設されることが望ましい。
【００６３】
一方、前記第１ダクト３１０と第２ダクト３２０には、室外空気及び室内空気が流入、吐出可能なように、それぞれ複数のインレットとアウトレットが設けられる。前記インレットとアウトレットは、前記第１ダクト３１０と第２ダクト３２０の外周面と内周面に形成され、これについて図１１を参照して更に詳しく説明する。図１０と図１１には、前記案内ダクト３００、すなわち、第１ダクト３１０と第２ダクト３２０が四角形状からなる実施例が示されている。しかし前記案内ダクト３００は、例えば、ドーナッツ形状、または内周面と外周面がそれぞれ五角、六角、八角などの多様な形状を持った形態からなることもできる。従って、前記案内ダクト３００の形状は、図１０と図１１に図示された実施例だけに限らず、中央に第１ホール３０１を持ちながら外周面を持っている形状であれば充分である。
【００６４】
前記第１ダクト３１０内に室外空気を流入させる第１インレット３１１は、第１ダクト３１０の外周面に少なくとも一つ設けられる。このような第１インレット３１１は、以下に詳細に説明する前熱交換機４００に連通される。そして前記第１ダクト３１０内の室外空気を吐出して前記送風装置２００に案内する第１アウトレット３１２は、図１０及び図１１に示すように、前記第１ホール３０１に連通される内周面に少なくとも一つ設けられる。このように、第１ダクト３１０の内周面に配設される第１アウトレット３１２には、空気中に含まれる異物を除去するように第１メッシュ３１３を設けることができる。
【００６５】
前記第２ダクト３２０内に室内空気を流入させる第２インレット３２１は、図１０及び図１１に示すように、前記第１ホール３０１に連通するように第２ダクト３２０の内周面に少なくとも一つ設けられる。前記第２インレット３２１には、第１アウトレット３１２と同様に、室内空気中の異物を除去する第２メッシュ３２３を配設することができる。一方、前記第２ダクト３２０内の室内空気を室外側に吐出する第２アウトレット３２２は、図１１に示すように、第２ダクト３２０の外周面に少なくとも一つ形成される。このように形成された第２アウトレット３２２は、以下に詳細に説明する前熱交換機４００に連通する。
【００６６】
一方、前記前熱交換機４００は、前記案内ダクト３００に連通するように前記案内ダクト３００に接するように設けられる。このような前熱交換機４００は、例えば図９及び図１０に示すように、前記案内ダクト３０の外周面を包囲するように配置されるか、図示されてはいないが、前記案内ダクト３００のすぐ下側に設けることができる。
【００６７】
前記前熱交換機４００は、その内部を経由して流動する室外空気と室内空気を相互に間接的に熱交換させて熱エネルギーを回収する。このために、前記前熱交換機４００には、前記案内ダクト３００だけでなく前記空気排気ダクト３０と前記空気供給ダクト２０もそれぞれ接続される。
【００６８】
図１０と図１２を参照すると、前記前熱交換機４００は前記案内ダクト３００すなわち、第１ダクト３１０と第２ダクト３２０の外周面を覆うように配設されて、互いに連通する複数のユニットを具備している。このように前熱交換機４００を複数のユニットで構成して前記案内ダクト３００の外周面を覆うように配設する理由は、室内機１０をよりコンパクト化しながら製作性及び組み立て性を良好にするためである。
【００６９】
前記のように形成される前熱交換機４００の前記各ユニットは、図１２に示すように、ケース４１０と、熱交換手段４５０とを具備している。前記ケース４１０は内部が空洞となっており、内部と外部を連通させる複数のインレットとアウトレットを持つ。更に具体的に説明すれば、第３アウトレット４１２が前記案内ダクト３００の第１インレット３１１に連通するように前記ケース４１０に設けられ、第４インレット４２１が前記案内ダクト３００の第２アウトレット３２２に連通するように前記ケース４１０に設けられる。ここで、前記第３アウトレット４１２と前記第４インレット４２１は、前記案内ダクト３００の外周面と接触する前記前熱交換機４００のケース４１０の１つの面に形成される。
【００７０】
一方、図１２に示すように、前記ユニットには第３インレット４１１が前記空気供給ダクト２０に連通するように前記ケース４１０に配設され、第４アウトレット４２２が前記空気排気ダクト３０に連通するように前記ケース４１０に設けられる。この時、前記空気供給ダクト２０と前記空気排気ダクト３０は。それぞれ一つずつだけ配設されることが望ましい。前記空気供給ダクト２０と前記空気排気ダクト３０が、それぞれ複数設けられる場合、各ダクトの全長が長くなり熱損失及び圧力損失が大きくなる。従って、前記空気供給ダクト２０と前記空気排気ダクト３０をそれぞれ一つずつだけ設けることで空気流路長さを短くし、不必要な熱損失及び圧力損失を減らすことが好ましい。この場合、前記空気供給ダクト２０と前記空気排気ダクト３０にそれぞれ接続される前記第３インレット４１１および前記第４アウトレット４２２は、複数のユニットの何れか一つにだけに設けられる。
【００７１】
一方、前記熱交換手段４５０は、図１２に示すように、前記ケース４１０の内部に配設されており、前記第１インレット３１１と第３アウトレット４１２を経由する室外空気と前記第２アウトレット３２２と前記第４インレット４２１を経由する室内空気を相互に間接的に熱交換させる。このような熱交換手段４５０は、室外空気が流動する第１流路４５１と、室内空気が流動する第２流路４５２を具備しており、これは、図３及び図４を参照して説明された実施例と等しい構造にて実施可能であるので熱交換手段の構造に対する説明は省略する。
【００７２】
一方、前記熱交換手段４５０で室外空気が流動する第１流路４５１の一端は、前記案内ダクト３０の第１インレット３１１と接続される第３アウトレット４１２と連通し、前記第１流路４５１の他端は、前記空気供給ダクト２０が接続される前記第３インレット４１１に連通する。そして前記室内空気が流動する第２流路４５２の一端は、前記案内ダクト３００の第２アウトレット３２２に接続される第４インレット４２１に連通し、前記第２流路４５２の他端は前記空気排気ダクト３０が接続される前記第４アウトレット４２２に連通する。
【００７３】
一方、本発明の第２実施例による空気調和機で新鮮な空気を供給する前記手段は第１実施例とは異なる図８に示すように、空気供給ダクト２０に接続されるように配設される。このように配設される手段はノズルと制御部を具備するタンク６０を具備しており、前記ノズル、制御部、および、タンク６０の構造は前記図７を参照して説明された第１実施例と大同小異のものなのでこれに対する説明は省略する。ただ、第２実施例で前記タンク６０はノズルが前記空気供給ダクト２０に連通するように配設される。ここで、前記ノズルはホースなどの中間媒介体によって前記空気供給ダクト２０に連通するように配設するか、前記空気供給ダクト２０に直接配設できる。ただ、前記タンク６０を容易に脱着することができる構造であれば充分である。
【００７４】
前記のような位置に配設されるタンク６０内に圧縮されて貯蔵される新鮮な空気では前記第１実施例で説明されたものと等しい空気を使用可能である。従って、これに対する説明は省略する。
【００７５】
一方、前記空気供給ダクト２０の一地点、より詳しくは室外と接する端部と前記手段が接続される地点の中間位置には、図８に示すように、室外から室内に流入する室外空気の流動流路を開閉するバルブ８０が設けられる。
【００７６】
以下では前記構造を持つ本発明の第２実施例による改善された構造を持つ空気調和システムの作用を説明する。まず、前記給気ファン２５と前記排気ファン３５が止められた状態で前記送風装置２００が作動すると、室内空気は前記案内ダクト３００の第１ホール３０１を通じて上側に移動した後、前記送風装置２００によって前記室内熱交換機１００側に吐出される。室内熱交換機１００と熱交換されて冷却または加熱された空気は前記案内ダクト３００の第２ホール３０２を通じて再び室内空間に吐出されるので室内空間が冷房または暖房される。
【００７７】
一方、前記給気ファン２５と排気ファン３５が止められた状態では、前記空気供給ダクト２０と前記空気排気ダクト３０を通じる空気の流動がわずかであるので、效果的な換気效果を得ることは難しい。この時、前記バルブ８０を閉めた状態で前記タンク６０のノズルを開放させれば、前記タンク６０内に圧縮状態に貯蔵された新鮮な空気は室内機１０の室内熱交換機１００を経由した後に室内に流入する。これによって、前記第１実施例で説明されたような等しい效果を得ることができるようになる。
【００７８】
一方、第２実施例による空気調和システムでは、室外空気が汚染されていない状態の場合、室外空気を利用して室内空間を換気することができる。以下ではこのような換気過程について説明する。
【００７９】
まず、前記給気ファン２５及び排気ファン３５を作動させる。この時前記室外機と室内機１０を共に作動させるか、作動を中止してもよく、以下では室内機１０を作動させる場合を例として説明する。前記排気ファン３５が作動すると、室内空気は第２インレット３２１を通じて第２ダクト３２０に流入して、第２アウトレット３２２と第４インレット４２１を通じて前記前熱交換機４００に流入する。この時、前記第２インレット３２１に提供された第２メッシュ３２３によって室内空気に含まれている異物が除去される。前熱交換機４００に流入した室内空気は、前記第２流路４５２を通じて移動した後、前記第４アウトレット４２２と空気排気ダクト３０を経由して室外に排出される。
【００８０】
一方、前記給気ファン２５が作動すると、新鮮な室外空気は前記空気供給ダクト２０と前記第３インレット４１１を経由して前記前熱交換機４００内に流入する。前記前熱交換機４００内に流入した室外空気は、前記第１流路４５１を通じて移動する。この時、前記第１流路４５１に接触している第２流路４５２内に室内空気が流動するので、前記第１流路４５１内を流動する室外空気は、前記室内空気から間接的に熱を伝達される。
【００８１】
一方、前記前熱交換機４００の熱交換手段４５０を経由しながら前記方法を通じて前記室内空気から熱エネルギーを伝達されて冷却または加熱された室外空気は、第３アウトレット４１２と前記第１インレット３１１を通じて前記案内ダクト３００の第１ダクト３１０内に流入する。そして第１アウトレット３１２と第１ホール３０１を経由して前記送風装置２００に流入した後に、前記室内熱交換機１００を経由しながら再び冷却または加熱される。前記室内熱交換機１００を通過しながら冷却または加熱された室外空気は、前記案内ダクト３００の第２ホール３０２を通過して室内に吐出される。
【００８２】
前記換気過程で前記タンク６０のノズルを開放すると、新鮮な空気が室外空気とともに室内に流入する。一方、前記換気過程の中に、前記バルブ８０を閉めた状態でタンク６０のノズルを開放すると、室内の汚染された空気は空気排気ダクト３０を通じて外部に排出され、室内には前記タンク６０に貯蔵された新鮮な空気だけが供給される。
【００８３】
前記では冷房または暖房が行われながら同時に換気が行われるか新鮮な空気が供給される例について説明した。しかし第２実施例による空気調和システムでは冷房または暖房機能を止めた状態で、前記タンク６０に貯蔵された新鮮な空気が室内に供給されるように運転することもできる。
【産業上の利用可能性】
【００８４】
以下では前記本発明による改善された構造を持つ空気調和システムの長所について説明する。
第一に、本発明による空気調和機は、別途に貯蔵された新鮮な空気を室内に供給するので室外空気がひどく汚れた場合実際に換気をしなくても実質的な換気效果を得ることができる。これによって公害や黄砂がひどい場合でも常に快適な室内環境を維持することができる。
【００８５】
第二に、新鮮な空気として山岳地帯で採取された空気が使われる場合、室内に供給された新鮮な空気は、抗菌及び殺菌作用をなし、人体には前記森林浴效果を与える。
【００８６】
第三に、室内空気が多量でいちどに室外に排出されないため、熱エネルギーの無駄使いが防止されてエネルギー效率が向上する。
第四に、室内機が非常にコンパクトで、別途の空気供給ダクト及び排気ダクトを複雑に配設する必要がないので配設が非常に容易である。そして別途の空気供給または排気ポートが天井に配設される必要がないので室内美観が向上する。
【００８７】
第五に、第２実施例の場合、換気時に前熱交換機を利用して外部に排出される室内空気が持っている熱エネルギーを室内に供給される室外空気に伝達する。これによって換気時に熱エネルギーが無駄使いされることを效果的に防止することができるようになる。
【図面の簡単な説明】
【００８８】
【図１】本発明による空気調和システムを概略的に示した図である。
【図２】図１の空気調和システムが配設された天井を下から見た図である。
【図３】図１の空気調和システムにおける室外空気と室内空気とが互いに熱交換する様子を概略的に示した図である。
【図４】図３の前熱交換機で熱交換手段の一実施例を示した斜視図である。
【図５】本発明の第１実施例による改善された構造を持つ空気調和システムを概略的に示した図である。
【図６】図５の空気調和システムの室内機の一実施例を示した図である。
【図７】図５の空気調和システムのタンクの一実施例を示した図である。
【図８】本発明の第２実施例による改善された構造を持つ空気調和システムを概略的に示した図である。
【図９】図８の空気調和システムの室内機の一実施例を示した図である。
【図１０】図８の空気調和システムに案内ダクトと前熱交換機の一実施例を示した斜視図である。
【図１１】図１０の案内ダクトを示した斜視図である。
【図１２】図１０の前熱交換機を示した斜視図である。
【符号の説明】
【００８９】
１０…室内機
２０…空気供給ダクト
３０…空気排気ダクト
５０…室外機
１００…室内熱交換機
２００…送風装置
３００…案内ダクト
３１０…第１ダクト
３２０…第２ダクト
４００…前熱交換機
４５０…熱交換手段
【図１】
2004361072.tif 000003
【図２】
2004361072.tif 000004
【図３】
2004361072.tif 000005
【図４】
2004361072.tif 000006
【図５】
2004361072.tif 000007
【図６】
2004361072.tif 000008
【図７】
2004361072.tif 000009
【図８】
2004361072.tif 000010
【図９】
2004361072.tif 000011
【図１０】
2004361072.tif 000012
【図１１】
2004361072.tif 000013
【図１２】
2004361072.tif 000014